(57)【要約】  【課題】  光ディスク装置が使用される環境の温度変化が大きい場合であっても、ラジアル方向の受光バランスを適切に調整する。  【解決手段】  本発明の光ディスク装置１では、対物レンズ６をラジアル方向にシフト移動させて、ラジアル方向の受光バランスを算出し、対物レンズ６のシフト量とラジアル方向の受光バランスのキャリブレーションを行う。光ピックアップ部５の温度の変化量から、ラジアル方向の受光バランスの補正量を算出したら、キャリブレーションの結果に基づいて、ラジアル方向の受光バランスの補正量から、対物レンズ６のラジアル方向のシフト補正量を算出する。そして、シフト補正量に基づいて対物レンズ６をラジアル方向にシフト移動させて、ラジアル方向の受光バランスの調整を行う。【選択図】  図１
2012195035.tif 000002
【特許請求の範囲】
【請求項１】
車両に搭載され、青色レーザーを用いて光ディスクに記録された情報を読み取る車載型の光ディスク装置であって、
前記青色レーザーを出射するレーザー部と、前記光ディスクで反射された前記青色レーザーの反射光を受光する受光部とを有する光ピックアップ部と、
前記光ピックアップ部の温度を求める温度算出部と、
前記光ディスクのラジアル方向に対物レンズをシフト移動させるレンズアクチュエータ部と、
前記対物レンズをラジアル方向にシフト移動させたときに、前記受光部が有する複数の受光エリアのそれぞれの受光量に基づいて、ラジアル方向の受光バランスを算出し、前記対物レンズのシフト量と前記ラジアル方向の受光バランスとの相関関係を求めるキャリブレーション演算部と、
予め定められた前記光ピックアップ部の温度と前記ラジアル方向の受光バランスの相関関係に基づいて、前記温度算出部で算出した前記光ピックアップ部の温度の変化量から、前記ラジアル方向の受光バランスの補正量を算出する受光バランス演算部と、
前記対物レンズのシフト量と前記ラジアル方向の受光バランスとの相関関係に基づいて、前記ラジアル方向の受光バランスの補正量から、前記対物レンズのラジアル方向のシフト補正量を算出するシフト補正量演算部と
前記レンズアクチュエータ部を制御することにより、前記シフト補正量に基づいて前記対物レンズをラジアル方向にシフト移動させて、前記ラジアル方向の受光バランスの調整を行う受光バランス調整部と、
を備えたことを特徴とする光ディスク装置。
【請求項２】
前記温度算出部は、前記光ピックアップ部に温度センサが設けられていない場合には、前記レーザー部の駆動電流値から前記光ピックアップ部の温度を推定することを特徴とする請求項１に記載の光ディスク装置。
【請求項３】
前記光ディスク装置の起動時に、前記キャリブレーション演算部が、前記対物レンズのシフト量と前記ラジアル方向の受光バランスとの相関関係を求め、前記ラジアル方向の受光バランスの調整が行われることを特徴とする請求項１または請求項２に記載の光ディスク装置。
【請求項４】
前記光ディスク装置が起動されてから所定時間が経過した時に、起動時と所定時間経過時との間の前記光ピックアップ部の温度の変化量が所定の閾値より大きい場合に、前記受光バランス演算部が、前記ラジアル方向の受光バランスの補正量を算出し、前記ラジアル方向の受光バランスの調整が行われることを特徴とする請求項１ないし請求項３のいずれかに記載の光ディスク装置。
【発明の詳細な説明】
【技術分野】
【０００１】
本発明は、温度変化が大きい環境で使用することができる光ディスク装置に関し、特に、車載型のブルーレイディスク（登録商標）用の光ディスク装置に関するものである。
【背景技術】
【０００２】
光ディスク装置で用いられる光ピックアップでは、温度変化などの要因によって光検出器の受光バランスが初期状態からずれが生じると、光ディスクの再生が困難になるという問題があった。特に、光ディスクのラジアル方向の受光バランスにずれが生じると、トラッキング性能が大きく低下してしまう。そこで、従来、光ディスク装置において、受光バランスを調整する方法が提案されている（特許文献１および特許文献２）。
【先行技術文献】
【特許文献】
【０００３】
【特許文献１】特開２００４−３１９０２９号公報
【特許文献２】特開平８−３３５３２３号公報
【発明の概要】
【発明が解決しようとする課題】
【０００４】
しかしながら、従来の受光バランスの調整方法では、車載型のブルーレイディスク（ＢＤ）用の光ディスク装置に適用することについて、まったく考慮されていなかった。
【０００５】
光ディスク装置が車両に搭載されて使用される場合には、室内で使用される場合に比べて、光ディスク装置が使用される環境の温度変化が大きい。したがって、家庭用の光ディスク装置では、ある程度の環境温度の変化（例えば、０℃〜５０℃）に対応すれば良いのに対して、車載型の光ディスク装置では、比較的大きな環境温度の変化（例えば、−３０℃〜８５℃）に対応する必要がある。
【０００６】
一方、ＢＤ用の光ディスク装置では、青色レーザー（青色半導体レーザー）を用いて、光ディスクに記録された情報を読み取るが、ＢＤから情報を読み取る場合には、ＣＤやＤＶＤなどから情報を読み取る場合に比べて、温度変化により受ける影響が大きい。例えば、ＢＤでは、高密度記録を実現するために高ＮＡ（高開口数）の対物レンズが使用されるので、光学系の収差の影響を受けやすくなり、この収差は温度変化によって大きく変化する。また、ＢＤでは、半導体レーザーに供給される駆動電流の波形が歪むのを避けるために、ＬＳＩの近傍に光ピックアップを配置する必要があり、ＬＳＩの発熱の影響によって光ピックアップの温度上昇が大きい。したがって、ＢＤから情報を読み取る場合には、温度変化によって受ける影響が大きくなる。
【０００７】
このように環境温度の変化が大きく、更に温度上昇の高い車載型のＢＤ用光ディスク装置において、光ピックアップを構成する光学部品の熱収縮や、部品を固定する接着剤の熱収縮により受光バランスも大きく変化する。特にラジアル方向の受光バランスにずれが生じると、トラッキング性能が大きく低下して再生が困難となる問題があった。
【０００８】
この問題に対して、従来の受光バランス調整方法は車両に搭載されて使用されるような温度変化が大きい環境での使用は想定されておらず適用が困難である。そのため、従来の車載型ＢＤ用光ディスク装置では、光ディスクの回転数を上げることで発熱の大きい光ピックアップやＬＳＩの冷却を行う方法や、光ディスク装置および光ピックアップの放熱設計によって温度変化を低減する方法などで受光バランスの変化を抑制する方法が採られている。しかしながら、車載型のＤＶＤ用およびＣＤ用の光ディスク装置と比較して再生性能を維持することのできる温度範囲は狭いのが現状であり、車載型のＤＶＤ用およびＣＤ用光ディスク装置と同等の温度範囲を実現するためには、車載型のＢＤ用の光ディスク装置に適した受光バランスの調整方法が必要となる。
【０００９】
本発明は、上記従来の問題を解決するためになされたもので、車載型のＢＤ用の光ディスク装置に適した受光バランスの調整をすることのできる光ディスク装置を提供することを目的とする。
【課題を解決するための手段】
【００１０】
本発明の光ディスク装置は、車両に搭載され、青色レーザーを用いて光ディスクに記録された情報を読み取る車載型の光ディスク装置であって、前記青色レーザーを出射するレーザー部と、前記光ディスクで反射された前記青色レーザーの反射光を受光する受光部とを有する光ピックアップ部と、前記光ピックアップ部の温度を求める温度算出部と、前記光ディスクのラジアル方向に対物レンズをシフト移動させるレンズアクチュエータ部と、前記対物レンズをラジアル方向にシフト移動させたときに、前記受光部が有する複数の受光エリアのそれぞれの受光量に基づいて、ラジアル方向の受光バランスを算出し、前記対物レンズのシフト量と前記ラジアル方向の受光バランスとの相関関係を求めるキャリブレーション演算部と、予め定められた前記光ピックアップ部の温度と前記ラジアル方向の受光バランスの相関関係に基づいて、前記温度算出部で算出した前記光ピックアップ部の温度の変化量から、前記ラジアル方向の受光バランスの補正量を算出する受光バランス演算部と、前記対物レンズのシフト量と前記ラジアル方向の受光バランスとの相関関係に基づいて、前記ラジアル方向の受光バランスの補正量から、前記対物レンズのラジアル方向のシフト補正量を算出するシフト補正量演算部と前記レンズアクチュエータ部を制御することにより、前記シフト補正量に基づいて前記対物レンズをラジアル方向にシフト移動させて、前記ラジアル方向の受光バランスの調整を行う受光バランス調整部と、を備えた構成を有している。
【００１１】
この構成により、光ピックアップ部の温度の変化量からラジアル方向の受光バランスの補正量が算出され、さらに、算出した受光バランスの補正量から対物レンズのラジアル方向のシフト補正量が算出される。そして、算出したシフト補正量を用いて対物レンズをラジアル方向にシフト移動させて、ラジアル方向の受光バランスの調整が行われる。したがって、光ディスク装置を温度変化が大きい環境で使用した場合であっても、光ピックアップ部の温度の変化量に応じて、ラジアル方向の受光バランスの調整をすることができる。ラジアル方向の受光バランスは、光ピックアップ部のトラッキング性能に大きく影響する。本発明によれば、光ディスク装置が使用される環境の温度変化が大きい場合であっても、ラジアル方向の受光バランスを適切に調整することができ、光ピックアップ部のトラッキング性能の低下を抑えることができる。したがって、本発明の受光バランスの調整は、車載型のＢＤ用の光ディスク装置に特に適している。
【００１２】
また、本発明の光ディスク装置では、前記温度算出部は、前記光ピックアップ部に温度センサが設けられていない場合には、前記レーザー部の駆動電流値から前記光ピックアップ部の温度を推定する構成を有している。
【００１３】
この構成により、光ピックアップ部に温度センサが設けられていない場合であっても、レーザー部の駆動電流値から光ピックアップ部の温度を推定して、ラジアル方向の受光バランスの調整を適切に行うことができる。
【００１４】
また、本発明の光ディスク装置では、前記光ディスク装置の起動時に、前記キャリブレーション演算部が、前記対物レンズのシフト量と前記ラジアル方向の受光バランスとの相関関係を求め、前記ラジアル方向の受光バランスの調整が行われる構成を有している。
【００１５】
この構成により、光ディスク装置の起動時に、対物レンズのシフト量とラジアル方向の受光バランスとの相関関係を求めるキャリブレーションが行われ、これにより、ラジアル方向の受光バランスの調整を適切に行うことができる。
【００１６】
また、本発明の光ディスク装置では、前記光ディスク装置が起動されてから所定時間が経過した時に、起動時と所定時間経過時との間の前記光ピックアップ部の温度の変化量が所定の閾値より大きい場合に、前記受光バランス演算部が、前記ラジアル方向の受光バランスの補正量を算出し、前記ラジアル方向の受光バランスの調整が行われる構成を有している。
【００１７】
この構成により、光ディスク装置が起動されてから所定時間が経過した時に、起動時と所定時間経過時との間の光ピックアップ部の温度の変化量が大きい場合に、ラジアル方向の受光バランスの補正量が算出され、これにより、ラジアル方向の受光バランスの調整を適切に行うことができる。
【発明の効果】
【００１８】
本発明は、光ディスク装置が使用される環境の温度変化が大きい場合であっても、ラジアル方向の受光バランスを適切に調整することができ、光ピックアップ部のトラッキング性能の低下を抑えることができるという効果を有する光ディスク装置を提供することができるものである。
【図面の簡単な説明】
【００１９】
【図１】本発明の実施の形態における光ディスク装置のブロック図
【図２】ラジアル方向の受光バランスの説明図
【図３】対物レンズのラジアル方向へのシフト移動の説明図
【図４】対物レンズのシフト量とラジアル方向の受光バランスとの相関関係の説明図
【図５】光ピックアップ部の温度とラジアル方向の受光バランス変化量（対起動時温度）との相関関係の説明図
【図６】起動時における受光バランス調整のフロー図
【図７】光ディスクの再生中における受光バランス調整のフロー図
【発明を実施するための形態】
【００２０】
以下、本発明の実施の形態の光ディスク装置について、図面を用いて説明する。本実施の形態では、車載型のＢＤ用の光ディスク装置として用いられる場合を例示する。すなわち、本実施の形態の光ディスク装置は、車両に搭載される光ディスク装置であって、青色レーザーを用いて光ディスク（ＢＤ）に記録された情報を読み取る機能を備えている。
【００２１】
本発明の実施の形態の光ディスク装置の構成を、図面を参照して説明する。図１は、本実施の形態の光ディスク装置の構成を示すブロック図である。図１に示すように、光ディスク装置１は、青色レーザーを出射するレーザー部２と、光ディスク３で反射された青色レーザーの反射光を受光する受光部４を有する光ピックアップ部５を備えている。レーザー部２は、波長４０５ｎｍ前後の青紫色半導体レーザーを出すレーザー光源である。受光部４は、４つの受光エリアに分割された受光素子（光検出器）である。この場合、４つの受光エリア（Ａ１〜Ａ４）のそれぞれの受光量に基づいて、ラジアル方向の受光バランスが算出される（図２参照）。
【００２２】
この光ディスク装置１は、対物レンズ６を、光ディスク３のラジアル方向にシフト移動させるレンズアクチュエータ部７を備えている（図３参照）。また、光ディスク装置１は、起動時に、対物レンズ６のシフト量とラジアル方向の受光バランスのキャリブレーションを行うキャリブレーション演算部８を備えている。キャリブレーション演算部８は、対物レンズ６をラジアル方向にシフト移動させたときに、ラジアル方向の受光バランスを算出して、対物レンズ６のシフト量とラジアル方向の受光バランスとの相関関係を求める機能を備えている（図４参照）。
【００２３】
また、図１に示すように、光ピックアップ部５には、温度センサ９が設けられている。光ディスク装置１は、温度センサ９の出力から光ピックアップ部５の温度を算出する温度算出部１０を備えている。なお、光ピックアップ部５には、温度センサ９が設けられていなくてもよい。その場合、温度算出部１０は、レーザー部２の駆動電流値から光ピックアップ部５の温度を推定するように構成される。
【００２４】
また、光ディスク装置１は、温度算出部１０で算出した光ピックアップ部５の温度の変化量から、ラジアル方向の受光バランスの補正量を算出する受光バランス演算部１１を備えている。光ディスク装置１のメモリ（図示せず）には、予め定められた光ピックアップ部５の温度とラジアル方向の受光バランス変化量の相関関係が記憶されている（図５参照）。受光バランス演算部１１は、光ピックアップ部５の温度とラジアル方向の受光バランスの相関関係に基づいて、光ピックアップ部５の温度の変化量から、ラジアル方向の受光バランスの補正量を算出する。
【００２５】
さらに、光ディスク装置１には、ラジアル方向の受光バランスの補正量から、対物レンズ６のラジアル方向のシフト補正量を算出するシフト補正量演算部１２が備えられている。このシフト補正量演算部１２は、キャリブレーション結果（対物レンズ６のシフト量とラジアル方向の受光バランスとの相関関係）に基づいて、ラジアル方向の受光バランスの補正量から、対物レンズ６のラジアル方向のシフト補正量を算出する（図４参照）。
【００２６】
そして、光ディスク装置１は、このようにして算出されたシフト補正量に基づいて、対物レンズ６をラジアル方向にシフト移動させて、ラジアル方向の受光バランスの調整を行う受光バランス調整部１３を備えている。この受光バランス調整部１３は、レンズアクチュエータ部７を制御することにより、ラジアル方向の受光バランスの調整を行うレンズアクチュエータ制御部であるともいえる。
【００２７】
以上のように構成された光ディスク装置１について、図面を参照してその動作を説明する。
【００２８】
図６は、本発明の実施の形態の光ディスク装置１の起動時に実行される受光バランス調整のフロー図である。図６に示すように、光ディスク装置１が起動されると、まず、レーザー部２から青色レーザーが発光される（Ｓ１０）。
【００２９】
次に、光ピックアップ部５の温度の測定を行うが、光ピックアップ部５に温度センサ９が設けられている場合には（Ｓ１１）、その温度センサ９の出力を用いて光ピックアップ部５の温度（例えば、温度Ｔ１）を算出する（Ｓ１２）。一方、光ピックアップ部５に温度センサ９が設けられていない場合には（Ｓ１１）、レーザー部２の駆動電流値から光ピックアップ部５の温度（例えば、温度Ｔ１）を推定する（Ｓ１３）。このようにして求めた温度（起動時の温度Ｔ１）は、光ディスク装置１のメモリ（図示せず）に記憶しておく。
【００３０】
次に、光ディスク３の記録層に焦点を合わせるフォーカス制御が行われ（Ｓ１４）、対物レンズ６のシフト量とラジアル方向の受光バランスのキャリブレーションが実行される（Ｓ１５）。具体的には、図３に示すように、対物レンズ６を自然位置（レンズアクチュエータ部７の駆動入力が０の位置）からラジアル方向に両側へ所定量移動させ、その間の受光バランスを数点計測する。この計測結果を図４に示すように線形近似し、ラジアル方向の受光バランスと対物レンズ６のシフト量の相関関係を算出し、対物レンズ６を自然位置に戻してキャリブレーションを終了する。その後、対物レンズ６のシフト量とラジアル方向の受光バランスのキャリブレーション結果から現在の受光バランス（対物レンズ６が自然位置にある時、すなわち対物レンズ６のシフト量０μｍの時の受光バランス）を算出する（Ｓ１６）。算出された受光バランス（起動時の受光バランスＰＤ１）は、起動時の温度Ｔ１と同様に、光ディスク装置１のメモリに記憶しておく。
【００３１】
次に、対物レンズ６のシフト量とラジアル方向の受光バランスのキャリブレーション結果に基づいて、先に測定した受光バランス量（ＰＤ１）を０％へ補正するためのラジアル方向のレンズシフト量を算出する（Ｓ１７）。
【００３２】
そして、その結果に基づき、対物レンズ６をラジアル方向にシフト移動させることで、ラジアル方向の受光バランスを０％近傍に補正される（Ｓ１８）。最後に、トラッキング制御が実行され（Ｓ１９）、光ディスク装置１の起動時の受光バランスの調整処理が終了する。
【００３３】
図７は、光ディスク３の再生中（光ディスク装置１が起動されてから所定時間が経過した時）に実行される受光バランス調整のフロー図である。図７に示すように、まず、光ピックアップ部５の温度を計測する。光ピックアップ部５に温度センサ９が設けられている場合には（Ｓ２０）、その温度センサ９の出力から光ピックアップ部５の温度（例えば、温度Ｔ）を算出する（Ｓ２１）。一方、光ピックアップ部５に温度センサ９が設けられていない場合には（Ｓ２０）、レーザー部２の駆動電流値から光ピックアップ部５の温度（例えば、温度Ｔ）を推定する（Ｓ２２）。
【００３４】
そして、起動時と所定時間経過時との間の光ピックアップ部５の温度の変化量（Ｔ−Ｔ１）が所定の閾値（Δｔ）より大きい場合には、図５に示すような光ピックアップ部５の温度とラジアル方向の受光バランスの補正量との相関関係に基づいて、光ピックアップ部５の温度の変化量（Ｔ−Ｔ１）から、ラジアル方向の受光バランスの補正量（Δ
ＰＤ）を算出する（Ｓ２４）。なお、図５は、光ピックアップ部５に温度変化を与えたときの受光バランスの測定し、そのデータを近似して導出した関係式であり、本発明の実施の形態における光ピックアップ部５においては、図５のような二次式で近似することで精度よくラジアル方向の受光バランス補正量（ΔＰＤ）が得られる。
【００３５】
次に、トラッキング制御をオフにした後（Ｓ２５）、起動時に計測した図４に示すようなキャリブレーション結果に基づいて、先に算出した受光バランスの補正量（ΔＰＤ
）を用いて、受光バランス（ＰＤ１＋ΔＰＤ）を０へ補正するための対物レンズ６のラ
ジアル方向のシフト補正量を算出する（Ｓ２６）。そのシフト補正量に基づいて、対物レンズ６をラジアル方向にシフト移動させて、ラジアル方向の受光バランスの調整を行う（Ｓ２７）。最後に、トラッキング制御をオンに戻して（Ｓ２８）、光ディスク３の再生中の受光バランスの調整処理が終了する。
【００３６】
このような本発明の実施の形態の光ディスク装置１によれば、光ディスク装置１が使用される環境の温度変化が大きい場合であっても、ラジアル方向の受光バランスを適切に調整することができ、光ピックアップ部５のトラッキング性能の低下を抑えることができる。
【００３７】
すなわち、本実施の形態では、光ピックアップ部５の温度の変化量からラジアル方向の受光バランスの補正量が算出され、さらに、算出した受光バランスの補正量から対物レンズ６のラジアル方向のシフト補正量が算出される。そして、算出したシフト補正量を用いて対物レンズ６をラジアル方向にシフト移動させて、ラジアル方向の受光バランスの調整が行われる。したがって、光ディスク装置１を温度変化が大きい環境で使用した場合であっても、光ピックアップ部５の温度の変化量に応じて、ラジアル方向の受光バランスの調整をすることができる。ラジアル方向の受光バランスは、光ピックアップ部５のトラッキング性能に大きく影響する。本発明によれば、光ディスク装置１が使用される環境の温度変化が大きい場合であっても、ラジアル方向の受光バランスを適切に調整することができ、光ピックアップ部５のトラッキング性能の低下を抑えることができる。したがって、本発明の受光バランスの調整は、車載型のＢＤ用の光ディスク装置１に特に適している。
【００３８】
また、本実施の形態では、光ピックアップ部５に温度センサ９が設けられていない場合であっても、レーザー部２の駆動電流値から光ピックアップ部５の温度を推定して、ラジアル方向の受光バランスの調整を適切に行うことができる。
【００３９】
また、本実施の形態では、光ディスク装置１の起動時に、対物レンズ６のシフト量とラジアル方向の受光バランスとの相関関係を求めるキャリブレーションが行われ、これにより、ラジアル方向の受光バランスの調整を適切に行うことができる。
【００４０】
また、本実施の形態では、光ディスク装置１が起動されてから所定時間が経過した時に、起動時と所定時間経過時との間の光ピックアップ部５の温度の変化量が大きい場合に、ラジアル方向の受光バランスの補正量が算出され、これにより、ラジアル方向の受光バランスの調整を適切に行うことができる。
【００４１】
以上、本発明の実施の形態を例示により説明したが、本発明の範囲はこれらに限定されるものではなく、請求項に記載された範囲内において目的に応じて変更・変形することが可能である。
【産業上の利用可能性】
【００４２】
以上のように、本発明にかかる光ディスク装置は、光ディスク装置が使用される環境の温度変化が大きい場合であっても、ラジアル方向の受光バランスを適切に調整することができるという効果を有し、車載型のＢＤ用の光ディスク装置等として有用である。
【符号の説明】
【００４３】
１  光ディスク装置
２  レーザー部
３  光ディスク
４  受光部
５  光ピックアップ部
６  対物レンズ
７  レンズアクチュエータ部
８  キャリブレーション演算部
９  温度センサ
１０  温度算出部
１１  受光バランス演算部
１２  シフト補正量演算部
１３  受光バランス調整部（レンズアクチュエータ制御部）
【図１】
2012195035.tif 000003
【図２】
2012195035.tif 000004
【図３】
2012195035.tif 000005
【図４】
2012195035.tif 000006
【図５】
2012195035.tif 000007
【図６】
2012195035.tif 000008
【図７】
2012195035.tif 000009